【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
塩素化率が５０％以下なる塩素化ポリオレフィンに対して、水酸基を有するビニル系単量体（Ｉ）と、該単量体（Ｉ）と共重合可能なる其の他のビニル系単量体（ＩＩ）とからなる単量体混合物を、前記した塩素化ポリオレフィンとの重量比が１０：９０〜９０：１０の割合となるようにして、有機溶剤の存在下に重合せしめることによって得られる、水酸基価が２〜１００の範囲内にあるグラフト共重合体（Ａ−１）に、有機金属系硬化剤（Ｂ）を配合せしめることを特徴とする、樹脂組成物。
【請求項２】
塩素化率が５０％以下なる塩素化ポリオレフィンに対して、酸基を有するビニル系単量体（ＩＩＩ）と、該単量体（ＩＩＩ）と共重合可能なる其の他のビニル系単量体（ＩＩ）とからなる単量体混合物を、前記した塩素化ポリオレフィンとの重量比が１０：９０〜９０：１０の割合となるようにして、有機溶剤の存在下に重合させて得られる、酸価が２〜１００の範囲内にあるグラフト共重合体（Ａ−２）に、有機金属系硬化剤（Ｂ）を配合せしめることを特徴とする、樹脂組成物。
【請求項３】
塩素化率が５０％以下なる塩素化ポリオレフィンに対して、水酸基含有ビニル系単量体（Ｉ）と、酸基を有するビニル系単量体（ＩＩＩ）と、これらの（Ｉ）および（ＩＩＩ）なる両単量体と共重合可能なる其の他のビニル系単量体（ＩＩ）とからなる単量体混合物を、前記した塩素化ポリオレフィンとの重量比が１０：９０〜９０：１０の割合となるようにして、有機溶剤の存在下に重合せしめることによって得られる、水酸基価と酸価との合計が２〜１００の範囲内にあるグラフト共重合体（Ａ−３）に、有機金属系硬化剤（Ｂ）を配合せしめることを特徴とする、樹脂組成物。
【請求項４】
塩素化率が５０％以下なる塩素化ポリオレフィンに対して、水酸基を有するビニル系単量体（Ｉ）と、該単量体（Ｉ）と共重合可能なる其の他のビニル系単量体（ＩＩ）とからなる単量体混合物を、前記した塩素化ポリオレフィンとの重量比が１０：９０〜９０：１０の割合となるようにして、有機溶剤の存在下に重合せしめることによって得られる、水酸基価が２〜１００の範囲内にあるグラフト共重合体（Ａ−１）と、塩素化率が５０％以下なる塩素化ポリオレフィンに対して、酸基を有するビニル系単量体（ＩＩＩ）と、該単量体（ＩＩＩ）と共重合可能なる其の他のビニル系単量体（ＩＩ）とからなる単量体混合物を、前記した塩素化ポリオレフィンとの重量比が１０：９０〜９０：１０の割合となるようにして、有機溶剤の存在下に重合せしめることによって得られる、酸価が２〜１００の範囲内にあるグラフト共重合体（Ａ−２）との混合物に、有機金属系硬化剤（Ｂ）を配合せしめることを特徴とする、樹脂組成物。
【手続補正２】
【補正対象書類名】明細書
【補正対象項目名】００１２
【補正方法】変更
【補正の内容】
【００１２】
すなわち、本発明は、基本的には、塩素化率が５０％以下なる塩素化ポリオレフィンに対して、それぞれ、水酸基含有ビニル系単量体および／または酸基含有ビニル系単量体と、これらの各単量体と共重合可能なる其の他のビニル系単量体とからなる単量体混合物を、該塩素化ポリオレフィンとの重量比が１０：９０〜９０：１０の割合となるようにして、有機溶剤の存在下に重合せしめることによって得られる、それぞれ、水酸基価または酸価が２〜１００の範囲内にあるグラフト共重合体（Ａー１）または（Ａ−２）に、あるいは水酸基価と酸価との合計が２〜１００の範囲内にあるグラフト共重合体（Ａ−３）に、有機金属系硬化剤（Ｂ）を配合せしめることから成る、樹脂組成物を提供しようとするものであるし、


【手続補正３】
【補正対象書類名】明細書
【補正対象項目名】００１３
【補正方法】変更
【補正の内容】
【００１３】
加えて、塩素化率が５０％以下なる塩素化ポリオレフィンに対して、水酸基含有ビニル系単量体と、此の単量体と共重合可能なる其の他のビニル系単量体とからなる単量体混合物を、該塩素化ポリオレフィンとの重量比が１０：９０〜９０：１０の割合となるようにして、有機溶剤の存在下に重合せしめることによって得られる、水酸基価が２〜１００の範囲内にあるグラフト共重合体（Ａ−１）と、塩素化率が５０％以下なる塩素化ポリオレフィンに対して、酸基含有ビニル系単量体と、此の単量体と共重合可能なる其の他のビニル系単量体とからなる単量体混合物を、該塩素化ポリオレフィンとの重量比が１０：９０〜９０：１０の割合となるようにして、有機溶剤の存在下に重合せしめることによって得られる、酸価が２〜１００の範囲内にあるグラフト共重合体（Ａ−２）との混合物に、有機金属系硬化剤（Ｂ）を配合せしめることから成る、樹脂組成物をも提供しようとするものである。


【手続補正４】
【補正対象書類名】明細書
【補正対象項目名】００１４
【補正方法】変更
【補正の内容】
【００１４】
【発明の実施の形態】
このように、本願は、一つには、塩素化率が５０％以下なる塩素化ポリオレフィンに対して、水酸基含有ビニル系単量体と、此の単量体と共重合可能なる其の他のビニル系単量体とからなる単量体混合物を、該塩素化ポリオレフィンとの重量比が１０：９０〜９０：１０の割合となるようにして、有機溶剤の存在下に重合せしめることによって得られる、水酸基価が２〜１００の範囲内にあるグラフト共重合体（Ａー１）に、有機金属系硬化剤（Ｂ）を配合せしめることから成る、樹脂組成物を請求しているというものであるし、


【手続補正５】
【補正対象書類名】明細書
【補正対象項目名】００１５
【補正方法】変更
【補正の内容】
【００１５】
二つには、塩素化率が５０％以下なる塩素化ポリオレフィンに対して、酸基含有ビニル系単量体と、此の単量体と共重合可能なる其の他のビニル系単量体とからなる単量体混合物を、該塩素化ポリオレフィンとの重量比が１０：９０〜９０：１０の割合となるようにして、有機溶剤の存在下に重合せしめることによって得られる、酸価が２〜１００の範囲内にあるグラフト共重合体（Ａ−２）に、有機金属系硬化剤（Ｂ）を配合せしめることから成る、樹脂組成物をも請求しているというものであるし、


【手続補正６】
【補正対象書類名】明細書
【補正対象項目名】００１６
【補正方法】変更
【補正の内容】
【００１６】
三つには、塩素化率が５０％以下なる塩素化ポリオレフィンに対して、それぞれ、水酸基含有ビニル系単量体および酸基含有ビニル系単量体と、これらの各単量体と共重合可能なる其の他のビニル系単量体とからなる単量体混合物を、該塩素化ポリオレフィンとの重量比が１０：９０〜９０：１０の割合となるようにして、有機溶剤の存在下に重合せしめることによって得られる、水酸基価と酸価との合計が２〜１００の範囲内にあるグラフト共重合体（Ａー３）に、有機金属系硬化剤（Ｂ）を配合せしめることから成る、樹脂組成物をも請求しているというものであるし、


【手続補正７】
【補正対象書類名】明細書
【補正対象項目名】００１７
【補正方法】変更
【補正の内容】
【００１７】
そして、四つには、塩素化率が５０％以下なる塩素化ポリオレフィンに対して、水酸基含有ビニル系単量体と、此の単量体と共重合可能なる其の他のビニル系単量体とからなる単量体混合物を、該塩素化ポリオレフィンとの重量比が１０：９０〜９０：１０の割合となるようにして、有機溶剤の存在下に重合せしめることによって得られる、水酸基価が２〜１００の範囲内にあるグラフト共重合体（Ａ−１）と、塩素化率が５０％以下なる塩素化ポリオレフィンに対して、酸基含有ビニル系単量体と、此の単量体と共重合可能なる其の他のビニル系単量体とからなる単量体混合物を、該塩素化ポリオレフィンとの重量比が１０：９０〜９０：１０の割合となるようにして、有機溶剤の存在下に重合せしめることによって得られる、酸価が２〜１００の範囲内にあるグラフト共重合体（Ａ−２）との混合物に、有機金属系硬化剤（Ｂ）を配合せしめることから成る、樹脂組成物をも請求しているというものである。


【手続補正８】
【補正対象書類名】明細書
【補正対象項目名】００１８
【補正方法】変更
【補正の内容】
【００１８】
以下に、本発明を、一層、詳細に説明をすることにするが、ここにおいて、まず、上記した塩素化ポリオレフィンとは、その塩素化率が５０％以下、好ましくは、１０〜４０％の範囲内にあるポリオレフィンを指称するものであり、該ポリオレフィンとして特に代表的なもののみを例示するにとどめれば、


【手続補正９】
【補正対象書類名】明細書
【補正対象項目名】００２１
【補正方法】変更
【補正の内容】
【００２１】
ここにおいて、当該塩素化ポリオレフィンの塩素化率に関しては、この塩素化率が５０％を超えて余りにも高くなるというような場合には、どうしても、ポリオレフィン系基材に対する付着性などが低下し易くなるし、一方、この塩素化率が約１０％未満であるというような場合には、どうしても、塩素化ポリオレフィンの、有機溶剤への溶解性などが低下し易くなるという処からも、いずれの場合も好ましくない。


【手続補正１０】
【補正対象書類名】明細書
【補正対象項目名】００３２
【補正方法】変更
【補正の内容】
【００３２】
以上に掲げて来たような種々の単量体類から、それぞれ、グラフト共重合体（Ａ−１）、（Ａ−２）または（Ａ−３）あるいはグラフト共重合体（Ａ−４）を調製するに際しては、水酸基含有ビニル系単量体（Ｉ）および／または酸基含有ビニル系単量体（ＩＩＩ）の使用量は、それぞれの反応性極性基（官能基）含有ビニル系単量体の単独使用なり、併用で以て、それぞれ、水酸基価または酸価が、あるいは水酸基価と酸価との合計が、２〜１００の範囲内、好ましくは、５〜５０の範囲内となるように、該単量体（Ｉ）および／または（ＩＩＩ）と共重合可能なる其の他のビニル系単量体（ＩＩ）とを混合して、グラフト重合反応せしめるというようにすればよい。


【手続補正１１】
【補正対象書類名】明細書
【補正対象項目名】００３３
【補正方法】変更
【補正の内容】
【００３３】
ここにおいて、これらの、それぞれ、水酸基価または酸価が、あるいは水酸基価と酸価との合計が、２未満であるというような場合には、どうしても、架橋硬化性が乏しくなり易く、ひいては、塗膜の、とりわけ、耐溶剤性ならびに耐摩耗性などが劣り易くなるし、一方、１００を超えて余りにも高くなるというような場合には、どうしても、とりわけ、ポリオレフィン基材への付着性、就中、ポリプロピレン基材への付着性などが劣り易くなるので、いずれの場合も好ましくない。


【手続補正１２】
【補正対象書類名】明細書
【補正対象項目名】００３４
【補正方法】変更
【補正の内容】
【００３４】
前述した塩素化ポリオレフィンに対して、以上に掲げて来たような種々の単量体（混合物）を重合せしめるに当っては、これらの、それぞれ、塩素化ポリオレフィンと該単量体（混合物）との使用比率としては、前者塩素化物：後者単量体（混合物）なる重量部比で以て、１０：９０〜９０：１０の範囲内、好ましくは、１５：８５〜６０：４０の範囲内が適当である。


【手続補正１３】
【補正対象書類名】明細書
【補正対象項目名】００３９
【補正方法】変更
【補正の内容】
【００３９】
以上のようにして得られる、それぞれ、グラフト共重合体（Ａ−１）、（Ａ−２）または（Ａ−３）あるいはグラフト共重合体（Ａ−４）なる各種の共重合体は、まず、その数平均分子量（Ｍｎ）が５，０００〜４０，０００の範囲内が、好ましくは、８，０００〜３０，０００の範囲内が適切である。


【手続補正１４】
【補正対象書類名】明細書
【補正対象項目名】００４０
【補正方法】変更
【補正の内容】
【００４０】
５，０００よりも低い分子量のもののような場合には、どうしても、とりわけ、機械的強度などの点で充分ではなく、一方、４０，０００よりも高いというような場合には、どうしても、とりわけ、スプレー作業性などが低下して来るようになるので、いずれの場合も好ましくない。


【手続補正１５】
【補正対象書類名】明細書
【補正対象項目名】００４７
【補正方法】変更
【補正の内容】
【００４７】
次いで、当該有機金属硬化剤の使用量としては、目的とする樹脂組成物中に存在する、それぞれ、カルボキシ基および／または水酸基の１当量に対して、０．５〜２当量の範囲内、好ましくは、０．８〜１．２当量の範囲内となるような割合であり、このような割合で以て配合せしめればよい。


【手続補正１６】
【補正対象書類名】明細書
【補正対象項目名】００４８
【補正方法】変更
【補正の内容】
【００４８】
０．５当量未満の場合には、どうしても、塗膜の、とりわけ、耐溶剤性などが劣り易くなるし、一方、１．５当量を超えて余りにも多くなるというような場合には、どうしても、塗膜の、とりわけ、耐候性ならびに耐水性などが低下し易くなるので、いずれの場合も好ましくない。